【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
波長λ１の第１光源から出射される光束を用いて保護基板厚ｔ１の第１情報記録媒体に対して情報の再生および／または記録を行ない、
波長λ２（λ１＜λ２）の第２光源から出射される光束を用いて保護基板厚ｔ２（ｔ１≦ｔ２）の第２情報記録媒体に対して情報の再生および／または記録を行ない、
波長λ３（λ２＜λ３）の第３光源から出射される光束を用いて保護基板厚ｔ３（ｔ２＜ｔ３）の第３情報記録媒体に対して情報の再生および／または記録を行う光ピックアップ装置であって、
前記各光源が出射した光束を、前記各情報記録媒体の情報記録面に集光させるために、共通に用いられる対物光学素子と、
前記対物光学素子を、光軸と垂直なトラッキング方向に移動可能なトラッキング手段と、
前記第１ないし第３光源から前記対物光学素子に至る光路との間に配置され、光軸方向に移動可能であって、前記対物光学素子に入射する光束の発散角を変更する第１発散角変更素子と、
前記第１ないし第３光源から前記対物光学素子に至る光路との間に配置され、光軸方向に移動可能であって、移動量に応じて球面収差を発生する第２発散角変更素子とを備え、
再生および／または記録する対象の情報記録媒体に応じて、前記保護基板の厚さの差に応じて発生する球面収差を解消するように、前記第１発散角変更素子が光軸方向に移動し、
かつ、前記トラッキング手段が前記対物光学素子を移動させた際に生じるコマ収差を解消するように、前記第２発散角変更素子が光軸方向に移動することを特徴とする光ピックアップ装置。
【請求項２】
前記第１素子は、光軸方向に移動することにより、光源から出射される光束の発散角を変更して出射することを特徴とする請求項１記載の光ピックアップ装置。
【請求項３】
前記第１素子は、光軸方向に移動することにより、光源から出射される光束の発散角を変更せずに出射することを特徴とする請求項１記載の光ピックアップ装置。
【請求項４】
少なくとも、前記第３情報記録媒体に対して、情報の再生および／または記録を行う際に、前記トラッキング手段によって前記対物光学素子を移動させた際に生じるコマ収差が、前記対物光学素子に球面波の光束を入射させた場合よりも小さいことを特徴とする請求項１ないし３の何れか一項に記載の光ピックアップ装置。
【請求項５】
前記第２発散角変更素子が光軸方向に移動することによって発生する球面収差は、補正過剰方向の球面収差であることを特徴とする請求項１ないし３の何れか一項に記載の光ピックアップ装置。
【請求項６】
前記第２発散角変更素子は、少なくとも１つの非球面を有し、当該非球面は、４次の非球面係数が０でないことを特徴とする請求項１ないし５の何れか一項に記載の光ピックアップ装置。
【請求項７】
６次、８次、１０次の非球面係数のうち、少なくとも１つが０ではないことを特徴とする請求項６記載の光ピックアップ装置。
【請求項８】
波長λ１の第１光源から出射される光束を用いて保護基板厚ｔ１の第１情報記録媒体に対して情報の再生および／または記録を行ない、
波長λ２（λ１＜λ２）の第２光源から出射される光束を用いて保護基板厚ｔ２（ｔ１≦ｔ２）の第２情報記録媒体に対して情報の再生および／または記録を行ない、
波長λ３（λ２＜λ３）の第３光源から出射される光束を用いて保護基板厚ｔ３（ｔ２＜ｔ３）の第３情報記録媒体に対して情報の再生および／または記録を行う光ピックアップ装置であって、
前記各光源が出射した光束を、前記各情報記録媒体の情報記録面に集光させるために、共通に用いられる対物光学素子と、
前記対物光学素子を、光軸と垂直なトラッキング方向に移動可能なトラッキング手段と、
前記第１ないし第３光源から前記対物光学素子に至る光路との間に配置され、屈折力を有し、光軸方向に移動することにより、前記対物光学素子に入射する光束の発散角を変更可能な第１発散角変更素子と、
前記第１発散角変更素子と前記対物光学素子との間に配置され、光軸方向に移動することにより、前記対物光学素子に入射する光束の発散角を変更可能な第２発散角変更素子とを備え、
前記第１発散角変更素子が取りうる前記２つの位置と、前記第２発散角変更素子が取りうる前記２つの位置との組合せのうち、少なくとも３通りの組合せが、前記第１乃至第３情報記録媒体の保護基板厚の差によって生じる球面収差を解消する光学系を構成することを特徴とする光ピックアップ装置。
【請求項９】
前記第１発散角変更素子および前記第２発散角変更素子の少なくとも一方は、光源側端と対物素子側端の間の、複数の所定位置で停止しうることを特徴とする請求項８記載の光ピックアップ装置。
【請求項１０】
前記第１発散角変更素子および前記第２発散角変更素子の他方は、光源側と対物素子側の２つの位置を取りうることを特徴とする請求項８又は９記載の光ピックアップ装置。
【請求項１１】
前記第１発散角変更素子または前記第２発散角変更素子の一方が取りうる２つの位置が、前記第１情報記録媒体の第１記録層と第２層との厚さの差によって生じる球面収差を解消し、
他方が取りうる２つの位置が、前記第１情報記録媒体と前記第３情報記録媒体の保護基板厚の差によって生じる球面収差を解消することを特徴とする請求項８ないし１０の何れか一項に記載の光ピックアップ装置。
【請求項１２】
波長λ１の第１光源から出射される光束を用いて保護基板厚ｔ１の第１情報記録媒体に対して情報の再生および／または記録を行ない、
波長λ２（λ１＜λ２）の第２光源から出射される光束を用いて保護基板厚ｔ２（ｔ１≦ｔ２）の第２情報記録媒体に対して情報の再生および／または記録を行ない、
波長λ３（λ２＜λ３）の第３光源から出射される光束を用いて保護基板厚ｔ３（ｔ２＜ｔ３）の第３情報記録媒体に対して情報の再生および／または記録を行う光ピックアップ装置であって、
前記各光源が出射した光束を、前記各情報記録媒体の情報記録面に集光させるために、共通に用いられる対物光学素子と、
前記対物光学素子を、光軸と垂直なトラッキング方向に移動可能なトラッキング手段と、
前記第１ないし第３光源から前記対物光学素子に至る光路との間に配置され、光軸方向に移動可能であって、前記対物光学素子に入射する光束の発散角を変更する第１発散角変更素子と、
前記第１ないし第３光源から前記対物光学素子に至る光路との間に配置され、電気的信号の印加量に応じて球面収差を発生する収差補正手段とを備え、
再生および／または記録する対象の情報記録媒体に応じて、前記保護基板の厚さの差に応じて発生する球面収差を解消するように、前記第１発散角変更素子が光軸方向に移動し、
かつ、前記トラッキング手段が前記対物光学素子をトラッキングさせた際に生じるコマ収差を解消するように、前記収差補正手段に印加する電気的信号を変更することを特徴とする光ピックアップ装置。
【請求項１３】
前記収差補正手段が液晶によって構成されていることを特徴とする請求項１２記載の光ピックアップ装置。
【請求項１４】
前記収差補正手段は、前記トラッキング方向に少なくとも２つの領域を有し、該領域毎に異なった収差補正が可能であることを特徴とする請求項１２又は１３記載の光ピックアップ装置。
【請求項１５】
前記対物光学素子と前記収差補正手段とが一体に構成されてなり、前記収差補正手段から出射される光束が、トラッキングによって生じるコマ収差と逆位相のコマ収差を有することを特徴とする請求項１２ないし１４の何れか一項に記載の光ピックアップ装置。
【請求項１６】
前記対物光学素子と前記収差補正手段とが別体に構成されてなり、前記収差補正手段から出射される光束は、補正過剰方向の球面収差を有することを特徴とする請求項１２ないし１４の何れか一項に記載の光ピックアップ装置。
【請求項１７】
波長λ１の第１光源から出射される光束を用いて保護基板厚ｔ１の第１情報記録媒体に対して情報の再生および／または記録を行ない、
波長λ２（λ１＜λ２）の第２光源から出射される光束を用いて保護基板厚ｔ２（ｔ１≦ｔ２）の第２情報記録媒体に対して情報の再生および／または記録を行ない、
波長λ３（λ２＜λ３）の第３光源から出射される光束を用いて保護基板厚ｔ３（ｔ２＜ｔ３）の第３情報記録媒体に対して情報の再生および／または記録を行う光ピックアップ装置であって、
前記光源側の第１素子、前記情報記録媒体側の第２素子の、２つの光学素子から構成され、該第１素子と該第２素子の相対位置を変化させることが可能であるとともに、前記各光源が出射した光束を、前記各情報記録媒体の情報記録面に集光させるために、共通に用いられる対物光学素子と、
前記対物光学素子を、光軸と垂直なトラッキング方向に移動可能なトラッキング手段と、
前記第１ないし第３光源から前記対物光学素子に至る光路との間に配置され、光軸方向に移動可能であって、前記対物光学素子に入射する光束の発散角を変更する発散角変更素子と、
再生および／または記録する対象の情報記録媒体に応じて、前記保護基板の厚さの差に応じて発生する球面収差を解消するように、前記発散角変更素子が光軸方向に移動し、
かつ、前記トラッキング手段が前記対物光学素子をトラッキングさせた際に生じるコマ収差を解消するように、前記第１素子と前記第２素子の相対位置が変化することを特徴とする光ピックアップ装置。
【請求項１８】
前記対物光学素子において、前記第１素子のみが移動可能であることを特徴とする請求項１７記載の光ピックアップ装置。
【請求項１９】
前記対物光学素子において、前記第２素子のみが移動可能であることを特徴とする請求項１７記載の光ピックアップ装置。
【請求項２０】
前記対物光学素子において、前記第１素子と前記第２素子の両方が移動可能であることを特徴とする請求項１７記載の光ピックアップ装置。
【請求項２１】
前記対物光学素子において、前記第１素子と前記第２素子の光軸を前記トラッキング方向に移動せしめることが可能であることを特徴とする請求項１７ないし２０の何れか一項に記載の光ピックアップ装置。
【請求項２２】
前記対物光学素子において、前記第１素子と前記第２素子の光軸を傾けることが可能であることを特徴とする請求項１７ないし２１の何れか一項に記載の光ピックアップ装置。